(57)【特許請求の範囲】
【請求項１】
第１ケース部材と当該第１ケース部材に対して開閉可能に取り付けられる第２ケース部材とを備え、前記第１ケース部材に対して前記第２ケース部材を開閉移動方向における閉止方向に相対移動させて前記第２ケース部材を前記第１ケース部材に閉止状態で保持させて、当該閉止状態で前記第１ケース部材および前記第２ケース部材に囲まれて形成されるケース内部に制御基板を収容する基板ケースユニットであって、
前記第１ケース部材に設けられたシール貼着部と、
前記シール貼着部に凹状に設けられた破断部材受容部と、
前記破断部材受容部を覆うようにして前記シール貼着部に貼着されるシール部材と、
前記第２ケース部材に設けられた当接部と、
前記シール部材を破断する破断部、および前記第２ケース部材の前記当接部と当接可能な被当接部を有し、前記第１ケース部材の前記破断部材受容部内に前記開閉移動方向と直交する方向に移動可能に取り付けられるシール破断部材とを備え、
前記閉止状態から前記第１ケース部材に対して前記第２ケース部材を前記開閉移動方向における開放方向に相対移動させたとき、前記第２ケース部材の前記当接部が前記シール破断部材の前記被当接部に当接して前記シール破断部材を前記第１ケース部材に対して前記開閉移動方向と直交する方向に押動することで、前記シール破断部材全体が前記第１ケース部材に対して前記開閉移動方向と直交する方向に沿って直線的に移動し、前記破断部が前記破断部材受容部から突出して前記シール部材と接触してこれを破断することを特徴とする基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御
基板が設けられている。例えば、主制御基板ないしメイン制御基板と称される制御基板に
は、遊技機の制御ソフトウェアが書き込まれたＲＯＭが搭載され、遊技機の作動を統括的
に制御する中枢制御装置としての役割を有している。そのため、遊技機の制御基板は、偽
造ＲＯＭへの差し替えや不正回路の付加などの行為対象になりやすい。
【０００３】
このような不正行為を防止して公正な遊技に供するため、制御基板は、ともに透明な樹
脂材料を用いて形成されたボトムケースとその前方に開閉可能に装着されるトップケース
とからなる基板ケース内に収容されている。また、基板ケースには、ボトムケースに対し
てトップケースを閉止状態で装着したときに、ボトムケース側に形成した係合部とトップ
ケース側に形成した係合部とが係合連結することで基板ケースを閉止状態でロックし、ト
ップケース（もしくはボトムケース）とその係合部との間を繋ぐ連結部をニッパ等の工具
を用いて切り離さない限り基板ケースを開放不能にする不正開放防止構造が設けられてい
る（例えば、特許文献１を参照）。
【０００４】
また、遊技機の固有情報や、制御基板の識別情報等を記憶させた無線読み取り可能なＩ
Ｃチップを有した封印シールをボトムケース及びトップケースの境界を跨ぐように貼着し
、これを外方からシールカバー部材で包囲することで、基板ケースを封印することも知ら
れている（例えば、特許文献２を参照）。このような封印シールを用いた場合、基板ケー
スを開放するために封印シールを剥がそうとすると、封印シールが破断され易くなってい
るため、目視によりその破断箇所の確認が出来ると共に、リーダ等によってＩＣチップの
格納情報を読み取ることが出来なくなるので、基板ケースに対する不正なアクセスがあっ
た場合の痕跡をより明瞭に残すことができる。
【０００５】
かかる封印シールは、基板ケースの不正開放対策に資することができるが、これが巧妙
化した手口により不正に剥がされて（例えば、剥離剤を用いて剥がされて）再使用される
と、基板ケースそのものを交換するような不正行為を却って発見しにくくなる。そのため
、封印シールを外方から包囲するシールカバー部材に封印シールを破壊するための破壊突
起を設けて、基板ケースを開放する際にシールカバー部材を外した時点で封印シールが復
旧不能な程度に破壊される構成が提案されている（例えば、特許文献３を参照）。
【先行技術文献】
【特許文献】
【０００６】
【特許文献１】特開２００４−６５２８０号公報
【特許文献２】特開２００９−２６１６４０号公報
【特許文献３】特開２０１０−１７８９０３号公報
【発明の概要】
【発明が解決しようとする課題】
【０００７】
しかしながら、制御基板に対する不正行為は巧妙化しており、このような不正行為をよ
り確実に防止する対策が求められている。
【０００８】
本発明は、このような課題に鑑みてなされたものであり、制御基板に対する不正行為を
より確実に防止可能な基板ケースユニットを提供することを目的とする。
【課題を解決するための手段】
【０００９】
このような目的達成のために、本発明に係る基板ケースユニットは、第１ケース部材（例えば、実施形態におけるボトムケース５０）と当該第１ケース部材に対して開閉可能に取り付けられる第２ケース部材（例えば、実施形態におけるトップケース６０）とを備え、前記第１ケース部材に対して前記第２ケース部材を開閉移動方向における閉止方向に相対移動させて前記第２ケース部材を前記第１ケース部材に閉止状態で保持させて、当該閉止状態で前記第１ケース部材および前記第２ケース部材に囲まれて形成されるケース内部に制御基板（例えば、実施形態における主制御基板４１）を収容する基板ケースユニット（例えば、実施形態における主制御基板ケースユニット１００）であって、前記第１ケース部材に設けられたシール貼着部と、前記シール貼着部に凹状に設けられた破断部材受容部と、前記破断部材受容部を覆うようにして前記シール貼着部に貼着されるシール部材（例えば、実施形態における封印シール１５０）と、前記第２ケース部材に設けられた当接部（例えば、実施形態における案内突起１３６）と、前記シール部材を破断する破断部（例えば、実施形態におけるメイン破断突起１６１ｍ）、および前記第２ケース部材の前記当接部と当接可能な被当接部（例えば、実施形態における第１弾性片１６４）を有し、前記第１ケース部材の前記破断部材受容部内に前記開閉移動方向と直交する方向に移動可能に取り付けられるシール破断部材（例えば、実施形態におけるシールカッター部材１６０）とを備え、前記閉止状態から前記第１ケース部材に対して前記第２ケース部材を前記開閉移動方向における開放方向に相対移動させたとき、前記第２ケース部材の前記当接部が前記シール破断部材の前記被当接部に当接して前記シール破断部材を前記第１ケース部材に対して前記開閉移動方向と直交する方向に押動することで、前記シール破断部材全体が前記第１ケース部材に対して前記開閉移動方向と直交する方向に沿って直線的に移動し、前記破断部が前記破断部材受容部から突出して前記シール部材と接触してこれを破断することを特徴とする。
【発明の効果】
【００１０】
本発明によれば、制御基板に対する不正行為をより確実に防止することが可能である。
【図面の簡単な説明】
【００１１】
【図１】本実施形態に係るぱちんこ遊技機の斜視図である。
【図２】上記ぱちんこ遊技機の背面図である。
【図３】本実施形態の主制御基板ケースユニットを後方から見た分解斜視図である。
【図４】本実施形態の主制御基板ケースユニットを前方から見た分解斜視図である。
【図５】本実施形態の基板ケースのスライド装着方法を説明するための模式図である。
【図６】第１実施形態のシール封印構造を後方から見た分解斜視図である。
【図７】第１実施形態のシール封印構造を前方から見た分解斜視図である。
【図８】（Ａ）はシールカッター部材を後方から見た斜視図、（Ｂ）はシールカッター部材を前方から見た斜視図である。
【図９】シールカッター部材の側面図である。
【図１０】トップ側封印部の要部を示す斜視図である。
【図１１】シールカッター部材をボトム側封印部に装着した状態を示す斜視図である。
【図１２】シールカッター部材とトップ側封印部とが係合した状態を示す斜視図である。
【図１３】基板ケースを閉止する過程におけるシールカッター部材の動作を説明するための模式図である。
【図１４】基板ケースを開放する過程におけるシールカッター部材の動作を説明するための模式図である。
【図１５】（Ａ）および（Ｂ）は従来の封印シールの破断の様子を示す模式図であり、（Ｃ）は本実施形態における封印シールの破断の様子を示す模式図である
【図１６】第２実施形態のシール封印構造を備えた主制御基板ケースユニットを後方から見た分解斜視図である。
【図１７】第２実施形態のシール封印構造を備えた主制御基板ケースユニットを前方から見た分解斜視図である。
【図１８】第２実施形態のシール封印構造におけるシールカッター部材を示し、（Ａ）は左方から見た斜視図、（Ｂ）は右方から見た斜視図である。
【図１９】第２実施形態のシール封印構造におけるシールカッター部材をボトム側封印部に装着した状態を示す斜視図である、
【図２０】第２実施形態のシール封印構造におけるシールカッター部材をトップ側封印部に係合させた状態を示す斜視図である。
【発明を実施するための形態】
【００１２】
以下、本発明の好ましい実施形態について図面を参照して説明する。本発明に係る基板
ケースユニットを備えた遊技機の代表例として、ぱちんこ遊技機ＰＭの斜視図及び背面図
を図１及び図２に示しており、まず、この図を参照してぱちんこ遊技機ＰＭの全体構成に
ついて説明する。
【００１３】
［ぱちんこ遊技機の全体構成］
始めに、図１を参照しながら、ぱちんこ遊技機ＰＭの正面側の基本構造を説明する。ぱ
ちんこ遊技機ＰＭは、図１に示すように、外郭方形枠サイズに構成された縦向きの固定保
持枠をなす外枠１の開口前面に、これに合わせた方形枠サイズに構成されて開閉搭載枠を
なす前枠２が互いの正面左側縁部に配設された上下のヒンジ機構３により横開き開閉およ
び着脱が可能に取り付けられ、正面右側縁部に設けられたダブル錠と称される施錠装置４
を利用して常には外枠１と係合連結された閉鎖状態に保持される。
【００１４】
前枠２には、この前枠２の上部前面域に合わせた方形状のガラス枠５が上下のヒンジ機
構３を利用して横開き開閉および着脱可能に組み付けられ、施錠装置４を利用して常には
前枠２の前面を覆う閉鎖状態に保持される。前枠２には、遊技盤１０が着脱可能にセット
保持され、常には閉鎖保持されるガラス枠５の複層ガラス５ａを通して遊技盤１０の正面
の遊技領域ＰＡを視認可能に臨ませるようになっている。
【００１５】
ガラス枠５の下部には遊技球を貯留する上下の球皿（上球皿６ａ及び下球皿６ｂ）が設
けられ、下球皿６ｂの正面右側には遊技球の発射操作を行う発射ハンドル７が設けられて
いる。ガラス枠５の前面側には、発光ダイオード（ＬＥＤ）やランプ等の電飾装置８や、
遊技の展開状態に応じて効果音を発生させるスピーカ９が設けられている。
【００１６】
図１では詳細な図示を省略しているが、遊技盤１０は、ルータ加工等を施した矩形状の
積層合板に、所定の図柄が印刷されたセルを貼り付けて成型される化粧板を基板とし、上
下のレール飾りに囲まれて略円形状の遊技領域ＰＡが形成される。遊技領域ＰＡには、多
数本の遊技釘、風車、中央飾り、遊技の進行状況に応じて所定の画像が表示される演出表
示装置、各種入賞口などの遊技構成部品が設けられ、遊技領域ＰＡの下端部には入賞口に
落入することなく落下した遊技球を裏面側に排出するためのアウト口が遊技盤１０を前後
に貫通して形成されている。
【００１７】
続いて、図２を参照しながら、ぱちんこ遊技機ＰＭの背面側の基本構造を説明する。前
枠２の背面側には、中央に前後連通する窓口を有して前枠２よりも幾分小型の矩形枠状に
形成された基枠体をベースとしてなる裏セット盤３０が、上下のヒンジ機構３を介して前
枠２後方に横開き開閉及び着脱が可能に連結されている。この裏セット盤３０には、前面
開放の矩形箱状をなす裏セットカバー３０Ｃが着脱自在に装着されており、常には前枠２
に取り付けられた遊技盤１０の裏面側を覆って配設されている（これにより後述する主制
御基板ケースユニット１００及び演出制御基板ケースユニット２００が裏セットカバー３
０Ｃにより覆われる）。
【００１８】
裏セット盤３０の各部には、多数個の遊技球を貯留する球貯留タンク３１、球貯留タン
ク３１から右方に緩やかな下り傾斜を有して延びるタンクレール３２、タンクレール３２
の右端部に繋がり下方に延びる球供給通路部材３３、球供給通路部材３３により導かれた
遊技球を払い出す賞球払出ユニット３４、賞球払出ユニット３４から払い出された遊技球
を上球皿６に導くための賞球通路部材３５などが設けられている。
【００１９】
遊技盤１０の背面側には、ぱちんこ遊技機ＰＭの作動を統括的に制御する主制御基板４
１（主制御基板ケースユニット１００）や、遊技展開に応じた画像表示、効果照明、効果
音等の演出全般の制御を行う演出制御基板４２（演出制御基板ケースユニット２００）な
どが取り付けられている。これに対して、裏セット盤３０の背面側には、遊技球の発射及
び払い出しに関する制御を行う払出制御基板４３（払出制御基板ケースユニット３００）
や、遊技施設側から受電して各種制御基板や電気・電子部品に電力を供給する電源基板４
４（電源基板ケースユニット４００）などが取り付けられている。これらの制御基板とぱ
ちんこ遊技機ＰＭ各部の電気・電子部品とがハーネス（コネクタケーブル）で接続されて
、ぱちんこ遊技機ＰＭが作動可能に構成されている。
【００２０】
ぱちんこ遊技機ＰＭは、外枠１が遊技施設の遊技島（設置枠台）に固定設置され、前枠
２、ガラス枠５等が閉鎖施錠された状態で遊技に供され、上球皿６ａに遊技球を貯留させ
て発射ハンドル７を回動操作することにより遊技が開始される。発射ハンドル７が回動操
作されると、上球皿６ａに貯留された遊技球が、ガラス枠５の背面側に配設される球送り
機構によって１球ずつ発射機構に送り出され、発射機構により遊技領域ＰＡに打ち出され
て、以降パチンコゲームが展開される。
【００２１】
［主制御基板ケースユニット］
次に、本実施形態に係る主制御基板ケースユニット１００の構成について図３〜図５を
追加参照して説明する。ここで、図３は主制御基板ケースユニット１００を後方から見た
分解斜視図、図４は主制御基板ケースユニット１００を前方から見た分解斜視図、図５は
基板ケース１１０のスライド装着方法を説明するための模式図、である。なお、以降の説
明においては、説明の便宜のため、上下及び左右前後の方向は、ぱちんこ遊技機ＰＭへの
取付状態での方向として、図３および図４の状態を基準にして定義しており、図３および
図４に示す矢印の方向をそれぞれ前後、左右、上下と称して説明する。
【００２２】
主制御基板ケースユニット１００は、ぱちんこ遊技機ＰＭにおける制御の中枢を担う前
述の主制御基板４１と、主制御基板４１を内部に収容する略矩形容器状の基板ケース１１
０と、を主体として構成されている。
【００２３】
主制御基板４１は、詳細図示を省略しているが、矩形形状のプリント配線板を基板とし
て、ＣＰＵ、ＲＯＭ及びＲＡＭ等の電子デバイスや抵抗、コンデンサ、コネクタ等の電子
・電気部品が実装されて構成されている。この主制御基板４１は、基板ケース１１０（後
述するトップケース１３０）の内面側に複数本のビスを用いてネジ止め固定される。
【００２４】
基板ケース１１０は、遊技盤１０の背面に着脱されるボトムケース１２０と、このボト
ムケース１２０に着脱自在に取り付けられるトップケース１３０とを備えて構成されてお
り、ボトムケース１２０にトップケース１３０を装着した閉止状態で前後整合するケース
左端部及び右端部に、不正開放防止構造及びシール封印構造（共に詳細後述）が設けられ
ている。ボトムケース１２０及びトップケース１３０は、互いの開口同士を相対向させた
閉止状態で組み合わされて一体化される。ボトムケース１２０及びトップケース１３０は
、共に無色透明な樹脂材料（例えば、ポリカーボネート等）を用いて射出成形等の成形手
段により形成され、外部からでも基板ケース１１０内を視認可能に構成されている。
【００２５】
ボトムケース１２０は、底壁１２１ａ及びこの底壁１２１ａの周縁から立設される上下
左右の側壁１２１ｂを有して全体として後面開放の矩形箱状に形成されたボトムケース本
体１２１と、ボトムケース本体１２１の左端部に一体的に形成されたボトム側ロック部１
２２と、ボトムケース本体１２１の右端部に一体的に形成されたボトム側封印部１２３と
を有して構成される。ボトムケース本体１２１の上下の側壁１２１ｂには、底壁１２１ａ
からそれぞれ後方に向けて突出するボトム側スライド係合部１２１ｃが左右方向に並んで
複数形成されている。
【００２６】
トップケース１３０は、底壁１３１ａ及びこの底壁１３１ａの周縁から立設される上下
左右の側壁１３１ｂを有して全体として前面開放の矩形箱状に形成されたトップケース本
体１３１と、トップケース本体１３１の左端部に連結部１３２ｂを介して一体的に繋がる
トップ側ロック部１３２と、トップケース本体１３１の右端部に一体的に形成されたトッ
プ側封印部１３３とを有して、ボトムケース１２０に対して左右方向（「スライド方向」
とも称する）にスライド装着可能に構成されている。トップケース本体１３１の上下の側
壁１３１ｂには、この側壁１３１ｂが延びる長手方向（左右方向）に沿って前面側に開口
してボトムケース１２０のボトム側スライド係合部１２１ｃを受容可能な凹溝状のトップ
側溝部１３１ｃが形成されるとともに、このトップ側溝部１３１ｃ内においてボトムケー
ス１２０のボトム側スライド係合部１２１ｃと係合可能なトップ側スライド係合部１３１
ｄが形成されている。トップケース１３０には、主制御基板４１のコネクタ（図示省略）
の実装位置に対応して表裏貫通するコネクタ挿抜口１３１ｅが形成されており、主制御基
板４１がトップケース１３０に取り付けられた状態で、主制御基板４１のコネクタがコネ
クタ挿抜口１３１ｅを通して外部に露出し、演出制御基板４２や払出制御基板４３等とハ
ーネス（コネクタケーブル）を介して電気接続可能となる。
【００２７】
ボトムケース１２０にトップケース１３０を組み付けるには、図５に示すように、ボト
ムケース１２０に対してトップケース１３０を左方に若干ずらした状態で前後方向に対向
させて、トップケース１３０のトップ側溝部１３１ｃにボトムケース１２０のボトム側ス
ライド係合部１２１ｃを挿入し、トップケース１３０を右方向（以下において「閉止方向
」とも称する）にスライド移動させることにより、ボトム側スライド係合部１２１ｃとト
ップ側スライド係合部１３１ｄとを係合させる。これにより、ボトムケース１２０とトッ
プケース１３０とが互いの開口同士を相対向させた閉止状態で一体化される。そして、こ
うしてボトムケース１２０にトップケース１３０が組付けられた閉止状態において、前後
に位置整合するボトム側ロック部１２２とトップ側ロック部１３２とを有して不正開放防
止構造が構成されるとともに、同じく前後に位置整合するボトム側封印部１２３とトップ
側封印部１３３とを有してシール封印構造が構成される。
【００２８】
＜不正開放防止構造＞
まず、不正開放防止構造は、いわゆるカシメ構造とも称されて、従来から知られている
構成であり、種々の構成が適宜採用されているが、本実施形態では、図３に示されている
ように、ボトムケース本体１２１の左端部に設けられたボトム側ロック部１２２と、トッ
プケース本体１３１の左端部に断面半円筒状の連結部１３２ｂを介して設けられたトップ
側ロック部１３２と、ボトム側ロック部１２２とトップ側ロック部１３２とを係合連結す
るためのロック部材１４０と、を有して構成されている。
【００２９】
ボトム側ロック部１２２は、後方に向けて開口するボトム側ロック孔１２２ａを有して
いる。トップ側ロック部１３２は、ボトム側ロック孔１２２ａと前後に整合する位置に表
裏貫通して形成されたトップ側ロック孔１３２ａを有している。カシメ部材１４０は、前
後に延びる軸部１４１と、この軸部１４１よりも大径の円盤状に形成された操作部１４２
と、軸部１４１に凹設されたピン収容孔（図示省略）内に設けられて軸部１４１の中心軸
と直交する方向に進退自在に支持された円筒状のロックピン１４３とを有している。ロッ
クピン１４３は、ピン収容孔内に設けられたバネ（図示省略）の反発力によってピン先端
部が軸部１４１の外方に突出するよう付勢配設されている。
【００３０】
かかる構成の不正開放防止構造において、基板ケース１１０が閉止されて、ボトム側ロ
ック部１２２とトップ側ロック部１３２とを前後に対向して重ね合わせた状態で、ロック
部材１４０の軸部１４１をボトム側ロック孔１２２ａ及びトップ側ロック孔１３２ａに跨
るように挿入して、ロック部材１４０をボトム側ロック部１２２とトップ側ロック部１３
２とに係合連結されることで、ボトムケース１２０に対してトップケース１３０が閉止状
態で取り外し不能（開放不能）となる。なお、この状態から基板ケース１１０を開放する
には、トップケース本体１３１とトップ側ロック部１３２との間を繋ぐ連結部１３２ｂを
切断し、ロック部材１４０を介してボトム側ロック部１２２と係合連結した状態のトップ
側ロック部１３２をトップケース本体１３１から切り離せばよい。これにより、トップケ
ース１３０をボトムケース１２０に対して左方向（以下において「開放方向」とも称する
）にスライド移動させて、基板ケース１１０を開放することができる。
【００３１】
＜シール封印構造：第１実施形態＞
続いて、第１実施形態に係るシール封印構造について、図６〜図１０を追加参照しなが
ら説明する。ここで、図６はシール封印構造を後方から見た分解斜視図、図７はシール封
印構造を前方から見た分解斜視図、図８（Ａ）はシールカッター部材１６０を後方から見
た斜視図、図８（Ｂ）はシールカッター部材１６０を前方から見た斜視図、図９はシール
カッター部材１６０の側面図、図１０はトップ側封印部１３３の要部を示す斜視図である
。なお、前述したように、ボトム側封印部１２３及びトップ側封印部１３３は、ボトムケ
ース１２０及びトップケース１３０に一体的に形成されているが、図５および図６におい
ては、説明の理解を容易にするために、ボトムケース１２０及びトップケース１３０から
ボトム側封印部１２３及びトップ側封印部１３３を切り離した状態でこれらのみを取り出
して示す。
【００３２】
シール封印構造は、ボトムケース本体１２１の右端部に一体的に形成されたボトム側封
印部１２３と、トップケース本体１３１の右端部に一体的に形成されたトップ側封印部１
３３と、ボトム側封印部１２３に貼着される封印シール１５０と、基板ケース１１０を開
放する際に封印シール１５０を破断するためのシールカッター部材１６０とを主体として
構成される。ボトム側封印部１２３及びトップ側封印部１３３は、基板ケース１１０の閉
止状態において前後に対向配置され、この対向状態においてボトム側封印部１２３とトッ
プ側封印部１３３との間に封印シール１５０及びシールカッター部材１６０が介在配置さ
れている。
【００３３】
ボトム側封印部１２３は、ボトムケース本体１２１の底壁１２１ａと連なって設けられ
た基壁１２４と、この基壁１２４から後方に向けて立設された凸状の台座部１２５を有し
て形成される。
【００３４】
台座部１２５は、基壁１２４と直交する矩形の板状に形成された第１台座部１２６と、
第１台座部１２６とスライド方向に対向する矩形のブロック状に形成された第２台座部１
２７と、第１台座部１２６と第２台座部１２７との間に凹状に形成されて後方向および上
下方向に開口するカッター受容部１２８とを有して形成されている。この台座部１２５に
は、封印シール１５０を貼着するための領域であるシール貼着部Ｘが構成されており、第
１台座部１２６の右方側の外表面（平坦面）が第１シール貼着部Ｘ１をなし、第２台座部
１２７の後方側の外表面（平坦面）が第２シール貼着部Ｘ２をなしている。つまり、シー
ル貼着部Ｘは、互いに直交する第１シール貼着部Ｘ１と第２シール貼着部Ｘ２とから全体
としてＬ字形に屈曲形成され、これら第１シール貼着部Ｘ１と第２シール貼着部Ｘ２との
間にトップ側封印部１３３と対向する後方側にシール面開口１２８ａを有したカッター受
容部１２８が画成されている。また、第１台座部１２６には、第１シール貼着部Ｘ１を分
断するように前後方向（スライド直交方向）に延びて表裏に貫通した２カ所のスリット部
１２６ａが設けられるとともに、このスリット部１２６ａと平行に延びてカッター受容部
１２８内に突出するガイドリブ１２６ｂが設けられている。
【００３５】
基壁１２４には、第１台座部１２６のスリット部１２６ａと前後に整合して一体的に連
続する孔部１２４ａ（図３を参照）が後面側に開放されて設けられている。この孔部１２
４ａは、スライド方向に延びて、第１台座部１２６よりも右側に延出している。孔部１２
４ａの深さは、シールカッター部材１６０のサブ破断突起１６１ｓ（詳細後述）の全体を
受容可能な大きさに形成されている。また、基壁１２４には、シールカッター部材１６０
が台座部１２５に装着されたとき、上下方向から見て、シールカッター部材１６０の第１
弾性片１６４（詳細後述）と重なり合う位置に、後方に突出する縦壁１２４ｂが立設され
ている。
【００３６】
封印シール１５０は、例えば紙製のシート部材１５３の表面に、主制御基板４１に関す
る識別情報を表すＱＲコード（登録商標：以下省略）１５４が付されて構成されている。
シート部材１５３の裏面側には、接着面又は粘着面が形成されており、ボトム側封印部１
２３のシール貼着部Ｘに貼着可能となっている。より詳細には、封印シール１５０は、略
９０度のＬ字形に折り曲げられた状態で、シール面開口１２８ａを覆うようにして第１シ
ール貼着部Ｘ１と第２シール貼着部Ｘ２とに跨って貼着される。封印シール１５０におけ
る第１シール貼着部Ｘ１側に貼着される第１半体部１５１には、「開封禁止」の文字情報
１５５が印刷されている。一方、封印シール１５０における第２シール貼着部Ｘ２側に貼
着される第２半体部１５２には、ＱＲコード１５４の他、シリアル番号（管理番号）など
を表す文字情報１５６が印刷されている。
【００３７】
シールカッター部材１６０は、複数の鋭利な破断突起１６１ｍ，１６１ｓが設けられた
横長のカッター本体１６１と、カッター本体１６１の上下の端部にそれぞれ設けられた一
対の側板部１６２と、各側板部１６２から左方に向けてそれぞれ突設された一対の平板部
１６３と、各平板部１６３から前方に向けてそれぞれ突設された一対の第１弾性片１６４
と、各側板部１６２から前方に向けてそれぞれ突設された一対の第２弾性片１６５と、一
対の平板部１６３に跨って設けられ平板部１６３同士を連結する連結腕部１６６とを有し
て構成される。
【００３８】
カッター本体１６１は、ボトム側封印部１２３のカッター受容部１２８内に嵌合受容さ
れるよう形成されている。そのため、シールカッター部材１６０は、カッター本体１６１
がカッター受容部１２８内に嵌合受容されたかたちでボトム側封印部１２３に装着され、
この装着状態において、カッター本体１６１をシール面開口１２８ａ側から覆うようにし
て封印シール１５０が貼着される。カッター本体１６１の後方側の先端部には２カ所のメ
イン破断突起１６１ｍが形成される一方で、カッター本体１６１の右端側には２カ所の脚
部１６１ａが突設され、各脚部１６１ａの先端にサブ破断突起１６１ｓが形成されている
。各破断突起１６１ｍ，１６１ｓは、トップケース１３０（封印シール１５０）と対向す
る方向に尖鋭となる先端形状を有している。カッター本体１６１がボトム側封印部１２３
のカッター受容部１２８内に嵌合受容された状態において、メイン破断突起１６１ｍの先
端部はシール面開口１２８ａよりも外方へ突出せず、また、サブ破断突起１６１ｓの先端
部は基壁１２４の孔部１２４ａに受容されて基壁１２４の端面よりも外方へ突出すること
がない。また、カッター本体１６１の中央には、ボトム側封印部１２３のガイドリブ１２
６ｂに嵌挿されて当該シールカッター部材１６０の直線移動を案内するための凹状のガイ
ド溝１６１ｂが前後方向に延びて設けられている。
【００３９】
カッター本体１６１の両側に配置された一対の側板部１６２の間隔は、ボトム側封印部
１２３の台座部１２５の幅よりも幾分大きく形成されており、カッター本体１６１をボト
ム側封印部１２３のカッター受容部１２８内に嵌合受容させたとき、この側板部１６２は
台座部１２５から外方へ突出した状態で配設されるようになっている。そのため、このシ
ールカッター部材１６０における側板部１６２よりも更に外側に設けられた部位である、
平板部、第１弾性片１６４および第２弾性片１６５は台座部１２５の外方へ突出された配
設姿勢で取り付けられ、トップケース１３０のスライド移動時にトップ側封印部１３３と
連係可能である。
【００４０】
平板部１６３には、その矩形の表面側から波状に延びる切り込みが形成されてシールカ
ッター部材１６０における他の部位よりも薄肉脆弱に形成された分離部（脆弱部）１６３
ａが設けられており、外力の作用により簡単に破断され易くなっている。この分離部１６
３は、平板部１６３を側板部１６２側と連結腕部１６６側とに二分している。換言すれば
、分離部１６３ａは、各平板部１６３に連結された連結腕部１６６をシールカッター部材
１６０の他の部位から区分しており、この分離部１６３ａが破断されることにより、シー
ルカッター部材１６０から連結腕部１６６を分離可能に構成されている。なお、この分離
部１６３ａは、例えば、基板ケース１１０を開放するのに必要な操作力よりも小さな操作
力によって破断され得るようその強度が設定されている。
【００４１】
第１弾性片１６４は、平板部１６３の裏面側に設けられてボトム側封印部１２３の基壁
１２４側へ延出する板状の弾性腕部１６４ａと、この弾性腕部１６４ａの先端側に設けら
れて外方（弾性腕部１６６の板厚方向）へ突出する円筒状の係合軸部１６４ｂとを有して
形成されている。この第１弾性片１６４は、平板部１６３との結合部位（根元）を固定端
として、その先端側である係合軸部１６４ｂが自由端となり板厚方向に弾性変形可能に形
成されている。
【００４２】
第２弾性片１６５は、カッター本体１６１との結合部位を固定端として、その先端側が
自由端となり板厚方向（略前後方向）に弾性変形可能に形成されている。この第２弾性片
１６５は、その固定端から自由端に向けて斜め外方へ傾斜して設けられている。すなわち
、一対の第２弾性片１６５をスライド方向（左右方向）から見た側面視では、略ハ字状（
末広がり）に形成されて、ボトム側封印部１２３の基壁１２４に向かって互いの間隔が拡
開するようにそれぞれ傾斜している。
【００４３】
連結腕部１６６は、断面矩形で上下方向に長尺状に延びており、その両端で一対の平板
部１６３に連設されている。この連結腕部１６６と一対の平板部１６３とカッター本体１
６１との間に囲まれた矩形の空部１６６ａは、第２台座部１２７の外形よりも幾分大きく
形成されている。そのため、この空部１６６ａには第２台座部１２７が前後方向に挿通可
能になっている。また、この連結腕部１６６は、トップケース１３０の当接壁部１３５ａ
（詳細後述）と僅かな隙間を有して前後方向に近接対向しており、基板ケース１１０に生
じる振動によってシールカッター部材１６０が誤動作して封印シール１５０を意図せず破
断してしまう事態を防止する。
【００４４】
かかる構成のシールカッター部材１６０は、カッター本体１６１がボトム側封印部１２
３のカッター受容部１２８内に受容されてメイン破断突起１６１ｍがシール面開口１２８
ａよりも内方へ退避した退入位置と、カッター本体１６１がカッター受容部１２８から前
後方向（「カッター進出方向」とも称する）に飛び出してメイン破断突起１６１ｍがシー
ル面開口１２８ａよりも外方へ突出した進出位置との間で進退動作が可能である。
【００４５】
トップ側封印部１３３は、トップケース本体１３１と連なって形成されており、ボトム
側封印部１２３の基壁１２４と前後に対向する天井壁１３４と、この天井壁１３４の周縁
からこれと直交する方向に延びる４カ所の側壁１３５とを有して、前面開放の矩形箱形状
を呈している。
【００４６】
トップ側封印部１３３の上下の各側壁１３５の内面側には、シールカッター部材１６０
の第１弾性片１６４及び第２弾性片１６５と係合可能な案内突起１３６が突設されている
。案内突起１３６は、スライド方向に延びる直線突起部１３６ａと、直線突起部１３６ａ
の一方の端部（図１０では右端部）から開口端に向けて傾斜して延びる傾斜突起部１３６
ｂと、傾斜突起部１３６ｂの一方の端部（図１０では右端部）から半円弧状に屈曲してＵ
ターンするように延びる鉤状突起部１３６ｃとを有している。
【００４７】
傾斜突起部１３６ｂには、スライド方向における直線突起部１３６ａ側から鉤状突起部
１３６ｃ側に向けて側板１３５から離反する方向に勾配を有した第１傾斜部１３６ｂ１が
設けられるとともに、スライド方向における鉤状突起部１３６ｃ側から直線突起部１３６
ａ側に向けて天井壁１３４に接近する方向に勾配（図１０では上り勾配）を有した第２傾
斜部１３６ｂ２が設けられている。
【００４８】
鉤状突起部１３６ｃは、第１弾性片１６４の係合軸部１６４ｂの外周面と略整合する内
周面を有した係合凹部１３６ｃ１を内向きとする鉤形状をなして当該係合軸部１６４ｂと
係合可能に形成されており、この係合状態において係合軸部１６４ｂを右側から覆い隠し
て、外部からの係合軸部１６４ｂへのアクセスを困難にしている。また、案内突起１３６
の終端となる鉤状突起部１３６ｃの先端は、直線突起部１３６ａの一方の端部と所定の間
隙をあけてスライド方向に対峙しており（直線突起部１３６ａのほぼ延長線上に配置され
ており）、これら直線突起部１３６ａと鉤状突起部１３６ｃとの間の上記間隙には第１弾
性片１６４の係合軸部１６４ｂが通過可能となっている。
【００４９】
また、トップ側封印部１３３の上下の各側壁１３５の内面側には、スライド方向に沿っ
て直線突起部１３６ａと平行な位置関係で延びる板状の当接壁部１３５ａが内方に向けて
突設されている。この当接壁部１３５ａは、シールカッター部材１６０の連結腕部１６６
と僅かな隙間を有して前後方向に対向するようになっている。また、トップ側封印部１３
３の上下の各側壁１３５と右側の側壁１３５とに跨ってＬ字状の保護壁部１３５ｂが設け
られており、スライド方向（左右方向）から見て、この保護壁部１３５ｂと案内突起１３
６とが互いに重なり合うように配置されている。
【００５０】
次に、本実施形態の理解を容易にするため、主制御基板ケースユニット１００の作用に
ついて説明する。ここで、図１１はシールカッター部材１６０をボトム側封印部１２３に
装着した状態を示す斜視図、図１２はシールカッター部材１６０とトップ側封印部１３３
とが係合した状態を示す斜視図、図１３は基板ケース１１０を閉止する過程におけるシー
ルカッター部材１６０の動作を説明するための模式図、図１４は基板ケース１１０を開放
する過程におけるシールカッター部材１６０の動作を説明するための模式図である。なお
、説明の理解を容易にするため、図１２では、トップ側封印部１３３とシールカッター部
材１６０のみを抜き出し、ボトム側封印部１２３と封印シール１５０との図示を省略し、
図１３および図１４では、トップ側封印部１３３と封印シール１５０とシールカッター部
材１６０のみを抜出し、ボトム側封印部１２３の図示を省略している。
【００５１】
始めに、基板ケース１１０を閉止するときの作用を説明する。
【００５２】
まず、基板ケース１１０を組み立てるには、詳細図示を省略するが、トップケース１３
０の内面側に主制御基板４１をビス止め固定して、トップケース１３０内に主制御基板４
１を取り付ける。続いて、図１１に示すように、シールカッター部材１６０のカッター本
体１６１をボトム側封印部１２３のカッター受容部１２８内に嵌合受容させて、シールカ
ッター部材１６０をボトム側封印部１２３に装着する。このとき、シールカッター部材１
６０をボトム側封印部１２３に装着する過程において、第１台座部１２６のガイドリブ１
２６ｂがシールカッター部材１６０のガイド溝１６１ｂに沿って通過することで、シール
カッター部材１６０の装着移動が円滑に案内される。シールカッター部材１６０がボトム
側封印部１２３に装着された状態では、メイン破断突起１６１ｍはカッター受容部１２８
内に収まっており、シール面開口１２８ａよりも外方へ突出していない。また、サブ破断
突起１６１ｓは第１台座部１２６のスリット部１２６ａを貫通して基壁１２４の孔部１２
４ａ内に受容されており、基壁１２４の端面よりも外方へ突出していない。
【００５３】
続いて、封印シール１５０をＬ字状に折り曲げて、該封印シール１５０を第１シール貼
着部Ｘ１と第２シール貼着部Ｘ２とに跨って貼着する。ここで、封印シール１５０のうち
、「開封禁止」の文字情報が付された第１半体部１５１は第１シール貼着部Ｘ１に貼着さ
れ、ＱＲコード１５４が付された第２半体部１５２は第２シール貼着部Ｘ２に貼着される
。このとき、いずれの破断突起１６１ｍ，１６１ｓもシール貼着部Ｘから外方へ突出して
いないため、封印シール１５０を破断突起１６１ｍ，１６１ｓと接触させることなく（何
ら損傷を与えることなく）シール貼着部Ｘに貼着することが可能である。
【００５４】
封印シール１５０がシール貼着部Ｘに貼着されると、封印シール１５０によりシール面
開口１２８ａ（カッター受容部１２８）が覆われて、封印シール１５０の裏面側の直近位
置にメイン破断突起１６１ｍが配置されることになる。このとき、封印シール１５０に付
されたＱＲコード１５４部分はシール面開口１２８ａ上に配置されているため、ＱＲコー
ド１５４部分とメイン破断突起１６１ｍとがカッター進出方向に対向する。また、第１台
座部１２６の２カ所のスリット部１２６ａが封印シール１５０により側方から覆われて、
この封印シール１５０（第１半体部１５１）の端辺に近接してサブ破断突起１６１ｓが配
置される。
【００５５】
続いて、トップ側封印部１３３（トップケース１３０）をボトム側封印部１２３（ボト
ムケース１２０）に対して、右方に若干ずらした位置で重なり合わせる。図１３（Ａ）に
示すように、トップケース１３０をボトムケース１２０に重なり合わせる過程において、
トップ側封印部１３３の案内突起１３６がシールカッター部材１６０の第２弾性片１６５
に接触する。このとき、案内突起１３６から押圧力を受けることで、第２弾性片１６５は
自身の傾斜作用により外側へ拡開した自由状態から内側へ押し込まれた状態に変位する（
弾性変形される）。そのため、トップ側封印部１３３の案内突起１３６は、第２弾性片１
６５を内側へ押し込みながら第２弾性片１６５上を摺動する。そして、案内突起１３６が
第２弾性片１６５を乗り越えて互いの当接が解かれたところで、この第２弾性片１６５は
自身の復元弾性により元の自由状態に復帰する。なお、詳細後述するが、この状態からト
ップ側封印部１３３をボトム側封印部１２３から外そうとしても、既に第２弾性片１６５
が自由状態（外側へ拡開した状態）となっているため、案内突起１３６が第２弾性片１６
５の自由端側に突き当たり、ボトム側封印部１２３に対してトップ側封印部１３３をシー
ルカッター部材１６０ごと持ち上げなければ、トップ側封印部１３３を外すことはできな
い。
【００５６】
続いて、トップ側封印部１３３（トップケース１３０）をボトム側封印部１２３（ボト
ムケース１２０）に対して閉止方向にスライド移動させて、トップケース１３０をボトム
ケース１２０にスライド装着する。これにより、ボトム側スライド係合部５１ｃとトップ
側スライド係合部６１ｄとが係合し、ボトムケース１２０とトップケース１３０とが互い
の開口同士を相対向させた閉止状態で一体化される。
【００５７】
このスライド装着の過程において、トップ側封印部１３３がボトム側封印部１２３に装
着されたシールカッター部材１６０に対して閉止方向に相対移動することになる。図１３
（Ｂ）に示すように、この相対移動において、トップ側封印部１３３の第１傾斜部１３６
ｂ１がシールカッター部材１６０の第１弾性片１６４（係合軸部１６４ｂ）に接触すると
、第１弾性片１６４は第１傾斜部１３６ｂ１の傾斜面の作用を受けて自由姿勢から内側へ
弾性変形されながら第１傾斜部１３６ｂ１上を閉止方向に沿って摺接する。そして、第１
弾性片１６４の係合軸部１６４ｂが第１傾斜部１３６ｂ１を乗り越えたところで、第１弾
性片１６４が自身の復元弾性によって元の自由状態に復帰して、第１弾性片１６４の係合
軸部１６４ｂと案内突起１３６の鉤状突起部１３６ｃとが互いに係合する。一方、このス
ライド装着の過程では、第２弾性片１６５は案内突起１３６とは接触せず、外方へ張り出
した自由状態を維持している。
【００５８】
こうしてトップケース１３０をボトムケース１２０に組み付けた状態では、図１２およ
び図１３（Ｃ）に示すように、半円弧状に屈曲した鉤状突起部１３６ｃが円筒状の係合軸
部１６４ｂを内側に受容して右側から覆い隠すため、基板ケース１１０の側方から係合軸
部１６４ｂと鉤状突起部１３６ｃとの係合を解除させるような不正アクセスを困難とする
ことができる。さらに、スライド方向から見て、この鉤状突起部１３６ｃと重なり合うよ
うにＬ字状の保護壁部１３５ｂが設けられているため、基板ケース１１０の側方から係合
軸部１６４ｂと鉤状突起部１３６ｃとの係合を解除させるような不正アクセスをより厳重
に防止することができる。
【００５９】
また、シールカッター部材１６０の第１弾性片１６４と整合する位置に、ボトム側封印
部１２３の縦壁１２４ｂとトップ側封印部１３３の側壁１３５とが重なり合って配置され
ているため、これら二重の防壁によって遮蔽することで、基板ケース１１０の側方からの
不正アクセスを防止することができる。
【００６０】
さらに、シールカッター部材１６０の連結腕部１６６とトップケース１３０の当接壁部
１３５ａとが僅かな隙間を有して近接対向するため、基板ケース１１０に生じる振動によ
ってシールカッター部材１６０が誤動作して封印シール１５０を意図せず破断してしまう
事態が防止される。
【００６１】
一方、ボトムケース１２０にトップケース１３０をスライド装着したとき、基板ケース
１１０の不正開放防止構造においては、ボトム側ロック部１２２とトップ側ロック部１３
２とが前後に重なり合い、この状態でロック部材１４０をトップ側ロック孔１３２ａとボ
トム側ロック孔１２２ａとに跨るように挿入することで、このロック部材１４０を介して
トップ側ロック部１３２とボトム側ロック部１２２とが連結し、トップケース１３０がボ
トムケース１２０に（連結部１３２ｂを切り離さない限りは）開放不能に装着される。
【００６２】
基板ケース１１０が閉止状態になると、トップケース１３０をボトムケース１２０に対
して開放方向にスライド移動させようとしても、ロック部材１４０がトップ側ロック部１
３２とボトム側ロック部１２２とに跨って挿入されているため、当該スライド移動が規制
される。
【００６３】
このように基板ケース１１０が閉止状態に保持されると、基板ケース１１０内に収容さ
れた主制御基板４１への外部からのアクセスは困難である。ここで、封印シール１５０の
表面には、二次元バーコードとしてのＱＲコード１５４が記録されており、基板ケース１
１０の内部に収容された状態のままで、ＱＲコード１５４に格納された各種情報を、基板
ケース１１０を開放することなくＱＲコードリーダによって外部から読み取りが可能であ
る。なお、従来においては、シールカッター部材１６０が封印シール１５０全体を覆い隠
すように装着される技術が提案されているが、その場合には、基板ケース１１０の外部か
ら封印シール１５０の状態を確認する場合、トップケース１３０とシールカッター部材１
６０との二重の樹脂製品を通して封印シール１５０の状態を確認しなければならなかった
が、本実施形態では、シールカッター部材１６０が封印シール１５０の内方に格納される
ことで、トップケース１３０のみを通して封印シール１５０の状態を確認できるため、従
来と比較して基板ケース１１０内の封印シール１５０の視認性を向上させて、確認作業の
効率性と正確性を高めることができる。
【００６４】
次に、基板ケース１１０を開放する際の作用について説明する。
【００６５】
まず、基板ケース１１０を開放するには、不正開放防止構造におけるトップ側ロック部
１３２とトップケース本体１３１との間を繋ぐ連結部１３２ｂをニッパ等の工具を用いて
切断し、ロック部材１４０を介してボトム側ロック部１２２と係合連結された状態のトッ
プ側ロック部１３２をトップケース本体１３１から切り離す。これにより、ボトムケース
１２０とトップケース１３０との連結が絶たれ、基板ケース１１０を開放可能な状態とな
る。
【００６６】
図１４（Ａ）に示すように、基板ケース１１０を開放させる前の状態では、シールカッ
ター部材１６０の各破断突起１６１ｍ，１６１ｓは封印シール１５０に接触しておらず所
定の隙間をあけて互いに近接配置されている。すなわち、メイン破断突起１６１ｍは封印
シール１５０により後方から覆われた状態でカッター受容部１２８内に受容されており、
メイン破断突起１６１ｍの先端と封印シール１５０の第２半体部１５２とは前後方向（カ
ッター進出方向）に近接している。また、サブ破断突起１６１ｓは孔部１２４ｂに受容さ
れており、サブ破断突起１６１ｓと封印シール１５０の第１半体部１５１とは前後方向（
カッター進出方向）に近接している。
【００６７】
トップケース１３０を開放方向にスライド移動させると、図１４（Ｂ）に示すように、
トップ側封印部１３３の鉤状突起部１３６ｃとシールカッター部材１６０の係合軸部１６
４ｂとの係合が解かれたのち、トップ側封印部１３３の傾斜突起部１３６ｂとシールカッ
ター部材１６０の係合軸部１６４ｂとがスライド方向に接触する。このとき、係合軸部１
６４ｂが傾斜突起部１３６ｂ（第２傾斜部１３６ｂ２）に当接してボトム側封印部１２３
に対して離間する方向への押圧力を受けることで、シールカッター部材１６０が案内突起
１３６に沿って天井壁１３４へ近接する方向（カッター進出方向）へ移動する。つまり、
第２傾斜部１３６ｂ２の傾斜面の作用により、トップ側封印部１３３によるスライド方向
（左右方向）への直線運動が、シールカッター部材１６０によるスライド直交方向（カッ
ター進出方向）への直線運動に変換される。これにより、シールカッター部材１６０はカ
ッター受容部１２８から外方へ向けて突出するが、このカッター受容部１２８（シール面
開口１２８ａ）上には第１シール貼着部Ｘ１と第２シール貼着部Ｘ２とに跨って封印シー
ル１５０が貼着されているため、シールカッター部材１６０のメイン破断突起１６１ｍが
封印シール１５０に接触してこれを破断することになる。また、封印シール１５０は２カ
所のスリット部１２６ａを塞ぐように第１台座部１２６の第１シール貼着部Ｘ１に貼着さ
れているため、シールカッター部材１６０をカッター進出方向に移動させると、シールカ
ッター部材１６０のサブ破断突起１６１ｓがスリット部１２６ａを通過しながら封印シー
ル１５０に接触してこれを破断することになる。このように封印シール１５０を破断すれ
ば、封印シール１５０を開放したときの痕跡が明瞭に残存し、不正行為を早期発見するこ
とができる。また、封印シール１５０におけるＱＲコード１５４部分を切り裂くことで、
このＱＲコード１５４に格納された各種情報を実質的に読み取り不能になるため、これに
より不正アクセスの痕跡を残存させることができるとともに、封印シール１５０を再使用
不能な程度に破壊することができる。
【００６８】
また、シールカッター部材１６０がカッター進出方向に移動すると、シールカッター部
材１６０の連結腕部１６６がトップ側封印部１３３の当接壁部１３５ａに突き当たること
で押圧荷重を受けることになる。そして、連結腕部１６６を介して分離部（脆弱部）１３
３ａに作用する押圧荷重が自身の機械的強度（破断強度）を越えたところで、応力集中が
生じた分離部（脆弱部）１３３ａが破断されてシールカッター部材１６６から連結腕部１
６６が切り離される。そのため、このようにシールカッター部材１６０から連結腕部１６
６を切り離せば、基板ケース１１０を開放したときの痕跡が残存するとともに、このシー
ルカッター部材１６０を無傷の状態で再使用できなくすることが可能である。そのため、
複数の中古機等から同一型式の基板ケース（１１０）を取り出し、これらの中からケース
構成部品を無傷の状態でそれぞれ抽出して適宜に組み合わせることで、１個の新たな基板
ケース（１１０）を複製しこれを正規品とすり替える、所謂二個一（ニコイチ）と称され
る不正行為に利用されたとしても、シールカッター部材１６０及び封印シール１５０には
破壊痕が明瞭に残存しているため、その不正行為を容易に見破ることができる。
【００６９】
なお、基板ケース１１０を不正に開放しようとして、外部から基板ケース１１０内に不
正具を侵入させ、この不正具を用いてシールカッター部材１６０の第１弾性片１６４を内
側へ押圧操作することで、この第１弾性片１６４の係合軸部１６４ｂとトップ側封印部１
３３の鉤状突起部１３６ｃとの係合が解除された場合であっても、この状態においてボト
ムケース１２０に対してトップケース１３０をスライドさせたのち前後方向に外そうとす
ると、シールカッター部材１６０の第２弾性片１６５が自由状態で拡開した姿勢となって
いるため、トップケース１３０の案内突起１３６がこの第２弾性片１６５の自由端側に突
き当たることで、シールカッター部材１６０がカッター進出方向に押圧される。これによ
り、シールカッター部材１６０がカッター受容部１２８から外方へ突出することで、シー
ルカッター部材１６０の各破断突起１６１ｍ，１６１ｓが封印シール１５０に接触してこ
れを破断することになる。そのため、本実施形態では計４カ所の弾性片（２カ所の第１弾
性片１６４と２カ所の第２弾性片１６５）を同時且つ個別に操作しない限りは、封印シー
ル１５０を破壊せずに、基板ケース１１０を実質的に開放出来なくなる。
【００７０】
以上、本実施形態に係るシール封印構造によれば、封印シール１５０およびシールカッ
ター部材１６０を破壊することなく、基板ケース１１０を開放することが出来ない構造と
なるため、基板ケース１１０が開放された場合にはその痕跡を明瞭に残存させて該不正行
為を早期に発見することができるとともに、基板ケース１１０の不正な開放を抑止して主
制御基板４１に対する不正な改造行為を受け難くすることが可能である。また、基板ケー
ス１１０の構成部品を破壊痕のない状態で使い回しできなくなるので所謂二個一（ニコイ
チ）と称される不正行為を未然に防止することが可能である。従って、本実施形態によれ
ば、不正行為の予防および早期発見に寄与することが可能になるという効果を奏する。
【００７１】
また、本実施形態では、基板ケース１１０を組み立てる際に、溶着や接着等の二次加工
が不要な構造であるため、組み立ての作業性が向上するとともに製造コストの低減を図る
ことができる。
【００７２】
また、本実施形態では、基板ケース１１０が閉止状態にあるとき、カッター本体１６１
は封印シール１５０によって覆われて台座部１２５の内部に隠蔽されているので、不正行
為者に対してシールカッター部材１６０の所在を認識し難くさせて、シールカッター部材
１６０に対するアクセスを困難とすることができる。さらに、シールカッター部材１６０
が封印シール１５０の内方に格納されることで、トップケース１３０のみを通して封印シ
ール１５０の状態を確認できるため、従来と比較して基板ケース１１０内の封印シール１
５０の視認性を向上させて、確認作業の効率性と正確性を高めることができる。
【００７３】
また、本実施形態では、トップケース１３０のスライド動作に連動してシールカッター
部材１６０が第１シール貼着部Ｘ１と第２シール貼着部Ｘ２との間で当該スライド方向（
開放方向）と直交する方向に進出動作する構成であるため、封印シール１５０の貼着姿勢
に関わらず、封印シール１５０を確実に破断することができる。この事象について、図１
５を追加参照して、従来技術と本実施形態とを比較しながら説明する。図１５（Ａ）およ
び（Ｂ）は従来の封印シール１５０の破断の様子を示す模式図であり、図１５（Ｃ）は本
実施形態における封印シール１５０の破断の様子を示す模式図である。
【００７４】
まず、従来において、図１５（Ａ）に示すように、封印シール１５０をＬ字状に屈曲さ
せて第１半体部１５１を台座１２５′の左面に貼着するとともに第２半体部１５２を台座
部１２５′の上面に貼着した場合に、シールカッター部材１６０′を台座部１２５′のス
リット部１２５ｂ′に沿ってスライド方向（左右方向）に移動させると、破断突起１６１
′の封印シール１５０に対する初期当たり部分が封印シール１５０の端部（図１５では右
端）となるため、破断突起１６１′と封印シール１６０の端部とが接触した際に、封印シ
ール１５０の端部が剥がれて捲れ上がってしまい、封印シール１５０を適切に破断できな
いおそれがある。
【００７５】
そのため、従来では、図１５（Ｂ）に示すように、封印シール１５０をＬ字状に屈曲さ
せて第１半体部１５１を台座部１２５′の右面に貼着するとともに第２半体部１５２を台
座部１５１′の上面に貼着することで、シールカッター部材１６０′を台座部１２５′の
スリット部１２５ｂ′に沿ってスライド方向に移動させた場合であっても、破断突起１６
１′が封印シール１５０の略中央部で接触するため、封印シール１５０の捲れを防止して
、封印シール１５０を適切に破断できるようにしている。しかしながら、封印シール１５
０の第１半体部１５１を台座部１２５′の右面に貼着すると、この第１半体部１５１に印
刷された「開封禁止」という文字情報が台座部１２５′の内側に隠れてしまい、基板ケー
ス１１０の外部から当該文字を読み取り難くなってしまうという問題が生じる。
【００７６】
これに対して、本実施形態では、図１６（Ｃ）に示すように、封印シール１５０をＬ字
状に屈曲させて第１半体部１５１を台座部１２５の右面（第１シール貼着部Ｘ１）に貼着
するとともに第２半体部１５２を台座部１２５の上面（第２シール貼着部Ｘ２）に貼着し
ても、シールカッター部材１６０が第１シール貼着部Ｘ１と第２シール貼着部Ｘ２との間
でスライド方向と直交する方向（カッター進出方向）に移動することで、メイン破断突起
１６１ｍが封印シールの１５０の略中央部で接触するため、封印シール１５０の捲れを防
止しつつ、封印シール１５０を適切に破断できるようになっており、また、この第１半体
部１５１に印刷された「開封禁止」という文字情報も外方に向けて露出されているので、
基板ケース１１０の外部からでも当該文字情報を容易に読み取りが可能となる。
【００７７】
このように、本実施形態では、基板ケース１１０のスライド方向に対してシールカッタ
ー部材１６０の進出方向を異ならしめており、シールカッター部材１６０が封印シール１
５０の主面に対して垂直方向（少なくとも交差する方向であればよい）に食い込んでいく
ため、封印シール１５０の貼着の仕方やシールカッター部材１６０の形状などに依存せず
、基板ケース１１０の開放時に封印シール１５０を正確に破断して再使用不能とすること
ができる。そのため、従来から提案されている、基板ケースのスライド方向と同一方向に
シールカッター部材を移動させる技術と比較して、不正行為に対するセキュリティ性を飛
躍的に向上させることができる。
【００７８】
＜シール封印構造：第２実施形態＞
続いて、第２実施形態に係る主制御基板ケースユニットについて、図１６〜図２０を参
照しながら説明する。第２実施形態の主制御基板ケースユニットは、基本的には、上述の
第１実施形態の主制御基板ケースユニットと同様の構成を有しており、以下、同様の構成
を有する部分には同一の符号を付して説明を省略し、主に異なる部分について説明する。
ここで、図１６は主制御基板ケースユニット１００を後方から見た分解斜視図、図１７は
主制御基板ケースユニット１００を前方から見た分解斜視図、図１８（Ａ）はシールカッ
ター部材１６０を左方から見た斜視図、図１８（Ｂ）はシールカッター部材１６０を右方
から見た斜視図、図１９はシールカッター部材１６０をボトム側封印部１２３に装着した
状態を示す斜視図、図２０はシールカッター部材１６０をトップ側封印部１３３に係合さ
せた状態を示す斜視図である。なお、図２０では、説明の理解を容易にするため、トップ
側封印部１３３とシールカッター部材１６０のみを抜き出し、ボトム側封印部１２３と封
印シール１５０との図示を省略している。
【００７９】
第２実施形態に係るシール封印構造は、ボトムケース本体１２１の右端部に一体的に形
成されたボトム側封印部１２３と、トップケース本体１３１の右端部に一体的に形成され
たトップ側封印部１３３と、ボトム側封印部１２３に貼着される封印シール１５０と、基
板ケース１１０を開放する際に封印シール１５０を破断するためのシールカッター部材１
６０とを主体として構成される。
【００８０】
ボトム側封印部１２３は、ボトムケース本体１２１の底壁１２１ａと連なって設けられ
た基壁１２４と、この基壁１２４から後方に向けて立設された凸状の台座部１２５′とを
有して形成される。
【００８１】
台座部１２５′は、基壁１２４と直交する矩形の板状に形成された第１台座部１２６′
と、第１台座部１２６′と左右に対向する矩形の板状に形成された第２台座部１２７′と
、第１台座部１２６′と第２台座部１２７′との間に凹状に形成されて後方向および上下
方向に開口するカッター受容部１２８′とを有して形成されている。この台座部１２５′
には、封印シール１５０を貼着するための領域であるシール貼着部Ｘが構成されており、
第１台座部１２６′の右方側の外表面（平坦面）が第１シール貼着部Ｘ１をなし、第１台
座部１２６′および第２台座部１２７′の後方側の外表面（平坦面）が第２シール貼着部
Ｘ２をなしている。
【００８２】
シールカッター部材１６０は、複数の鋭利なメイン破断突起１６１ｍが設けられた横長
のカッター本体１６１と、カッター本体１６１から前方に向けてそれぞれ突設された一対
の第１弾性片１６４と、カッター本体１６１から前方に向けてそれぞれ突設された一対の
第２弾性片１６５とを有して構成される。このシールカッター部材１６０は、カッター本
体１６１がボトム側封印部１２３のカッター受容部１２８′内に受容されてメイン破断突
起１６１ｍが内方へ退避した退入位置と、カッター本体１６１がカッター受容部１２８′
から飛び出してメイン破断突起１６１ｍが外方へ突出した進出位置との間で進退動作が可
能である。
【００８３】
トップ側封印部１３３は、トップケース本体１３１と連なって形成されており、ボトム
側封印部１２３の基壁と前後に対向する天井壁１３４と、この天井壁１３４の周縁からこ
れと直交する方向に延びる４カ所の側壁１３５とを有して、前面開放形の矩形箱形状を呈
している。
【００８４】
トップ側封印部１３３の上下の各側壁１３５の内面側には、シールカッター部材１６０
の第１弾性片と係合可能な案内突起１３６′が突設されている。案内突起１３６′は、ス
ライド方向に延びる直線突起部１３６ａと、直線突起部１３６ａの一方の端部から開口端
に向けて傾斜して延びる傾斜突起部１３６ｂと、傾斜突起部１３６ｂの一方の端部からス
ライド方向に延びる直線突起部１３６ｃ′とを有している。
【００８５】
かかる構成のシール封印構造において、基板ケース１１０の閉止状態からトップケース
１３０を開放方向にスライド移動させると、トップ側封印部１３３の傾斜突起部１３６ｂ
とシールカッター部材１６０の係合軸部１６４ｂとがスライド方向に接触し、このとき、
係合軸部１６４ｂが傾斜突起部１３６ｂ（第２傾斜部１３６ｂ２）に当接してボトム側封
印部１２３に対して離間する方向への押圧力を受けることで、シールカッター部材１６０
が案内突起１３６に沿って天井壁１３４へ近接する方向（カッター進出方向）へ移動する
。つまり、第２傾斜部１３６ｂ２の傾斜面の作用により、トップ側封印部１３３によるス
ライド方向（左右方向）への直線運動が、シールカッター部材１６０によるスライド直交
方向（カッター進出方向）への直線運動に変換される。これにより、シールカッター部材
１６０はカッター受容部１２８′から外方へ向けて突出するが、このカッター受容部１２
８′上には第１シール貼着部Ｘ１と第２シール貼着部Ｘ２とに跨って封印シール１５０が
貼着されているため、シールカッター部材１６０のメイン破断突起１６１ｍが封印シール
１５０に接触してこれを破断することになる。このように封印シール１５０を破断すれば
、封印シール１５０を開放したときの痕跡が明瞭に残存し、不正行為を早期発見すること
ができる。また、封印シール１５０におけるＱＲコード１５４部分を切り裂くことで、こ
のＱＲコード１５４に格納された各種情報を実質的に読み取り不能になるため、これによ
り不正アクセスの痕跡を残存させることができるとともに、封印シール１５０を再使用不
能な程度に破壊することができる。
【００８６】
以上、第２実施形態に係る封印構造によれば、封印シール１５０を破壊することなく、
基板ケース１１０を開放することが出来ない構造となるため、基板ケース１１０が開放さ
れた場合にはその痕跡を明瞭に残存させて該不正行為を早期に発見することができるとと
もに、基板ケース１１０の不正な開放を抑止して主制御基板４１に対する不正な改造行為
を受け難くすることが可能である。従って、本実施形態によれば、不正行為の予防および
早期発見に寄与することが可能になるという効果を奏する。
【００８７】
なお、本発明は、上記実施形態に限定されるものではなく、本発明の要旨を逸脱しない
範囲であれば適宜改良可能である。
【００８８】
上述の実施形態では、シールカッター部材１７０をボトム側封印部１２３（シール貼着
Ｘ部）に対してスライド方向（左右方向）と直交する方向（前後方向）に移動させる構成
を例示して説明したが、これに限定されるものではなく、シールカッター部材１７０をボ
トム側封印部１２３に対してスライド方向と交差する方向であれば、必ずしも直交方向で
はなくてもよい。
【００８９】
また、上述の実施形態では、分離部１６３ａ他の部分の肉厚よりも薄肉に凹設した脆弱
部として形成したが、これに限定されるものではなく、例えば、ミシン目状に配置した複
数のスリットによって破断可能に構成してもよい。
【００９０】
また、上述の実施形態では、シール封印構造におけるシール部材として、ＲＱコードを
備えた封印シールを例示して説明したが、これに限定されるものではなく、遊技機や制御
基板に関する各種情報を記憶するＩＣチップを備えた封印シールや、ＱＲコードおよびＩ
Ｃチップを備えていない封印シールを適用してもよい。
【００９１】
なお、上述の実施形態においては、本発明に係る基板ケースユニットをぱちんこ遊技機
の主制御基板ケースユニットに適用した場合を例示して説明したが、これに限定されるも
のではなく、演出制御基板ケースユニットや払出制御基板ケースユニットなどの他の基板
ケースユニット等に適用してもよく、更には、ぱちんこ遊技機以外の遊技機、例えばスロ
ットマシン（回胴遊技機）の基板ケースユニットなどに適用しても同様の効果を得ること
が可能である。
【符号の説明】
【００９２】
ＰＭ  ぱちんこ遊技機
１  外枠
２  前枠
５  ガラス枠
１０  遊技盤
４１  主制御基板（制御基板）
１００  主制御基板ケースユニット（基板ケースユニット）
１１０  基板ケース
１２０  ボトムケース（第１ケース部材）
１２３  ボトム側封印部
１２５  台座部
１２８  カッター受容部（破断部材受容部）
１３０  トップケース（第２ケース部材）
１３３  トップ側封印部
１３５ａ  当接壁部
１３６  案内突起（当接部）
１３６ｂ  傾斜突起部（第１傾斜部、第２傾斜部）
１５０  封印シール（シール部材）
１６０  シールカッター部材（シール破断部材）
１６１  カッター本体
１６１ｍ  メイン破断突起（破断部）
１６１ｓ  サブ破断突起
１６３  平板部
１６３ａ  分離部
１６４  第１弾性片（被当接部）
１６５  第２弾性片（規制部）
１６６  腕部（連結腕部）
Ｘ  シール貼着部
【図１】
0006455072.tif 000002
【図２】
0006455072.tif 000003
【図３】
0006455072.tif 000004
【図４】
0006455072.tif 000005
【図５】
0006455072.tif 000006
【図６】
0006455072.tif 000007
【図７】
0006455072.tif 000008
【図８】
0006455072.tif 000009
【図９】
0006455072.tif 000010
【図１０】
0006455072.tif 000011
【図１１】
0006455072.tif 000012
【図１２】
0006455072.tif 000013
【図１３】
0006455072.tif 000014
【図１４】
0006455072.tif 000015
【図１５】
0006455072.tif 000016
【図１６】
0006455072.tif 000017
【図１７】
0006455072.tif 000018
【図１８】
0006455072.tif 000019
【図１９】
0006455072.tif 000020
【図２０】
0006455072.tif 000021